(57)【特許請求の範囲】
【請求項１】
機械的エネルギ源と、エネルギ伝達装置を介して連結される前記機械的エネルギ源によって駆動されて誘起電力を発生して電気的エネルギを供給する発電機と、前記エネルギ伝達装置に結合された指針と、前記電気的エネルギにより駆動されて前記発電機の回転周期を制御する回転制御装置とを備える電子制御式機械時計において、
保磁力の異なる少なくとも２種類の耐磁部材が配置され、
前記２種類の耐磁部材は、文字板または日車の裏側、又は裏蓋の時計内部側と、ムーブメントの外周部とに配置されており、
前記文字板または日車の裏側、又は裏蓋の時計内部側に配置される耐磁部材は、ムーブメントの外周部に配置される耐磁部材に比べて保磁力が小さいことを特徴とする電子制御式機械時計。
【請求項２】
請求項１に記載の電子制御式機械時計において、
前記２種類の耐磁部材のうち、一方の耐磁部材は保磁力が２Ａ／ｍ以下の低保磁力材により形成され、他方の耐磁部材は保磁力が５Ａ／ｍ以上の高保磁力材により形成されていることを特徴とする電子制御式機械時計。
【請求項３】
請求項１または請求項２に記載の電子制御式機械時計において、
前記保磁力の異なる２種類の耐磁部材のうち、他方の耐磁部材よりも保磁力が低い低保磁力耐磁部材は、ＰＣパーマロイ材、センダスト、Ｃｏ系アモルファス金属、ＰＤパーマロイ材のいずれかであることを特徴とする電子制御式機械時計。
【請求項４】
請求項１〜３のいずれかに記載の電子制御式機械時計において、
前記保磁力の異なる２種類の耐磁部材のうち、他方の耐磁部材よりも保磁力が高い高保磁力耐磁部材は、ＰＢパーマロイ材、純鉄、珪素鋼板、パーメンジュール、Ｆｅ系アモルファス金属、ＰＤパーマロイ材のいずれかであることを特徴とする電子制御式機械時計。
【請求項５】
請求項１に記載の電子制御式機械時計において、
前記文字板または日車の裏側と、ムーブメントの外周部とに配置される耐磁部材は、リング状または円弧状に形成され、かつ文字板または日車の外周やムーブメントの外周に沿って配置されていることを特徴とする電子制御式機械時計。
【請求項６】
請求項１のいずれかに記載の電子制御式機械時計において、
前記文字板の裏側に配置された耐磁部材は、文字板受リングを兼用していることを特徴とする電子制御式機械時計。
【発明の詳細な説明】
【０００１】
【発明の属する技術分野】
本発明は、ゼンマイが開放する時等の機械エネルギーを駆動源として動作しつつ、一部電気エネルギーに変換し、この電力により回転制御手段を作動させて回転周期を制御する電子制御式機械時計に関する。
【０００２】
【背景技術】
ゼンマイが開放する時の機械エネルギーを発電機で電気エネルギーに変換し、その電気エネルギーにより回転制御手段を作動させて発電機のコイルに流れる電流値等を制御することにより、輪列に固定される指針を正確に駆動して正確に時刻を表示する電子制御式機械時計として、特開平８−５７５８号公報に記載されたものが知られている。
【０００３】
このような電子制御式機械時計は、指針の駆動をゼンマイを動力源とするために運針駆動用のモータが不要であり、部品点数が少なく安価であるという特徴がある。その上、電子回路を作動させるのに必要な僅かな電気エネルギーを発電するだけでよく、少ない入力エネルギーで時計を作動する。
【０００４】
【発明が解決しようとする課題】
しかし、この電子制御式機械時計に用いられる発電機にあっては、次に述べる構造上及び電磁気的特性上の課題があった。
【０００５】
すなわち、一般的なクオーツ時計で用いられるステップモータは、１８０度毎に回転するため、１周期の間の殆どは１８０度毎の位置で停止している。このため、時計に外部磁界が加わり、ロータ磁石が外部磁界で揺動しても、その揺動によって電流が発生するため、外部磁界の存在を即座に検出でき、対応することができる。
【０００６】
これに対して、電子制御式機械時計では、腕時計という小さなスペース内に発電機を組み込む必要があり、小さな発電機でも十分な発電能力を得るために、コイルの巻数を多くする必要があった。また、発電を行うためにロータは常時回転しており、その回転によって発生する起電圧も小さかった。
【０００７】
このため、発電誘起電圧やスペース効率の面では十分なものが得られたが、外部磁界の影響があると起電圧にノイズが入り、正確に回転周期を検出できず、回転制御に誤差が生じやすいという問題があった。
【０００８】
また、このような外部磁界による磁気ノイズを減らすために、従来から耐磁板を時計内部に組み込んだものが知られている（実開平４−７９２９６号公報参照）。この際、弱い磁界から強い磁界までシールドするためには、耐磁板としては、保磁力が低くかつ飽和磁束密度の高い材料を用いることができればよい。つまり、外部磁界が保磁力以上に大きくならなければ、磁気回路のバイパスとして機能せず、シールド効果がでないため、地磁気のような１ガウス以下程度の弱い外部磁界をシールドする場合には、保磁力も小さくなければならない。一方、テレビ、電話、オーディオスピーカー等の各種電磁気製品から発せられる例えば５ガウス程度以上の強い外部磁界をシールドするには、できるだけ飽和しないつまり飽和磁束密度が大きなものが必要である。
【０００９】
但し、実際には、保磁力が低い材料は飽和磁束密度も低く、逆に保磁力が高ければ飽和磁束密度も高い材質しか存在しない。
【００１０】
このため、クオーツ時計では、ロータ回転の検出電圧が大きく、弱い磁界をシールドできなくても影響が小さいため、保磁力が多少大きくても飽和磁束密度の大きな材料、例えば純鉄等を使用して強い外部磁界をシールドできるようにしていた。
【００１１】
しかしながら、前述の電子制御式機械時計では、発電機内を流れる磁束数が少なく、ロータ回転検出の電圧も小さいため、純鉄のような保磁力が比較的大きい耐磁板ではシールドできない弱い外部磁界でも、影響してしまうという問題があった。
【００１２】
逆に、保磁力の小さいつまり飽和磁束密度の小さい材料で耐磁板を構成すると、強い外部磁界が加わった際にシールドできないという問題が生じる。
【００１３】
本発明の目的は、弱い外部磁界から強い外部磁界までシールドすることができ、外部磁界の影響を受けにくく、調速制御を精度よく行うことができる電子制御式機械時計を提供することにある。
【００１４】
【課題を解決するための手段】
本発明の電子制御式機械時計は、機械的エネルギ源と、エネルギ伝達装置を介して連結される前記機械的エネルギ源によって駆動されて誘起電力を発生して電気的エネルギを供給する発電機と、前記エネルギ伝達装置に結合された指針と、前記電気的エネルギにより駆動されて前記発電機の回転周期を制御する回転制御装置とを備える電子制御式機械時計において、保磁力の異なる少なくとも２種類の耐磁部材が配置され、前記２種類の耐磁部材は、文字板または日車の裏側、又は裏蓋の時計内部側と、ムーブメントの外周部とに配置されており、前記文字板または日車の裏側、又は裏蓋の時計内部側に配置される耐磁部材は、ムーブメントの外周部に配置される耐磁部材に比べて保磁力が小さいことを特徴とするものである。
【００１５】
このような本発明においては、弱い外部磁界は保磁力が小さい耐磁部材でシールドでき、強い外部磁界は保磁力が大きい耐磁部材でシールドでき、ノイズのような低磁場から高磁場まで直流、交流を問わずシールドすることができ、外部磁界による磁気ノイズを減少できる。
【００１６】
従って、ノイズなど外部磁場で誤動作することがない、高精度の電子制御式機械時計を提供できる。
ことに、ムーブメント外周部に保磁力が大きな耐磁部材を配置するので、ムーブメントに影響を与えやすい時計の側面からの高磁場の磁界を確実にシールドできる。
この際、発電機のロータは、時計の厚さ方向に沿った回転軸を備えているため、時計の側面つまりムーブメントの外周面からの外部磁界に対しては影響を受けやすい。従って、ムーブメントの外周面に耐磁部材を配置するので、発電機に影響しやすい時計の側面からの磁界の影響を受けにくく、シールド効果をより向上することができる。
さらに上記のような構成によれば、文字板または日車の裏側、又は裏蓋の時計内部側やムーブメント外周部等の空間を有効に利用でき、時計を厚くすることなく耐磁部材を配置することができ、スペース効率を向上できる。
【００１７】
この際、前記２種類の耐磁部材のうち、一方の耐磁部材は保磁力が２Ａ／ｍ以下の低保磁力材により形成され、他方の耐磁部材は保磁力が５Ａ／ｍ以上の高保磁力材により形成されていることが好ましい。
【００１８】
また、前記保磁力の異なる２種類の耐磁部材のうち、他方の耐磁部材よりも保磁力が低い低保磁力耐磁部材としては、ＰＣパーマロイ材、センダスト、Ｃｏ系アモルファス金属、ＰＤパーマロイ材のいずれかが利用できる。
【００１９】
これらの材質の高保磁力耐磁部材は、低保磁力材である一方で、高透磁率材でもあるため、低磁場を効果的にシールドすることができる。
【００２０】
さらに、前記保磁力の異なる２種類の耐磁部材のうち、他方の耐磁部材よりも保磁力が高い耐磁部材は、ＰＢパーマロイ材、純鉄、珪素鋼板、パーメンジュール、Ｆｅ系アモルファス金属、ＰＤパーマロイ材のいずれかが利用できる。
【００２１】
これらの材質の耐磁部材は、高保磁力材である一方で、高飽和磁束密度の材料であるため、必要なシールド効果を得るための断面積を小さくでき、スペースが限られている時計であっても容易に組み込むことができる。
【００２５】
さらに、耐磁部材が、文字板または日車の裏側と、ムーブメントの外周部と、裏蓋の時計内部側との３カ所に配置されていれば、ムーブメントの上面および下面と、外周面とにそれぞれ耐磁部材が配置されてムーブメントを耐磁部材で囲むことができる。従って、シールド効果を非常に大きくでき、外部磁界による磁気ノイズを大幅に減少できる。
【００２６】
前記文字板または日車の裏側と、ムーブメントの外周部とに配置される耐磁部材は、リング状または円弧状に形成され、かつ文字板または日車の外周やムーブメントの外周に沿って配置されていることが好ましい。
【００２７】
これらの形状は、耐磁部材の配置個所に応じて適宜設定すればよい。例えば、ムーブメント外周部に配置される場合には、巻真を逃げるために、耐磁部材を円弧状（Ｃ形状）に形成してもよい。また、文字板下に配置される場合には、文字板足を逃げるために半円弧状等に形成してもよい。さらに、配置個所によっては、リング状に形成することもできる。
【００３０】
前記文字板の裏側に配置された耐磁部材は、文字板受リングを兼用していることが好ましい。
【００３１】
文字板受リングを兼用していれば、部品点数を削減でき、かつスペース効率も向上でき、コストも低減できる。
【００３２】
【発明の実施の形態】
（第１実施形態）
以下に、本発明の第１実施形態を図面に基づいて説明する。
【００３３】
図１は、本実施形態に係る電子制御式機械時計の概略を示す平面図、図２および図３は、その要部を示す断面図である。なお、図１において上方向が、電子制御式機械時計の３時方向に対応している。
【００３４】
電子制御式機械時計１は、ケース２と、このケース２内に収納されるムーブメント３とを備えた腕時計である。
【００３５】
ケース２を構成する胴４の一方の開口には、ガラス５がはめ込まれてガラス縁６により内側から押さえられている。ケース２の他方の開口は、裏蓋８０により塞がれている。なお、本実施形態では、裏蓋８０は、内部のムーブメント３を視認できるようにガラス８１と、ガラス縁８２とで構成されている。
【００３６】
ムーブメント３は、図１にも示されるように、機械的エネルギ源としてのゼンマイ１０と、ゼンマイ１０によって駆動されて機械的エネルギを電気的エネルギに変換する発電機２０と、ゼンマイ１０のトルクを発電機２０に伝達するエネルギ伝達装置としての図示しない増速輪列と、増速輪列に連結されて時刻表示を行う図示しない指針と、前記電気的エネルギにより駆動されて発電機２０の回転周期を制御する回転制御装置（図示省略）等を備えている。
【００３７】
発電機２０は、輪列から伝達された機械的エネルギを、誘起電力を発生することで電気的エネルギに変換する装置であり、ロータ２１およびコイルブロック２２を含んで構成されている。
【００３８】
また、ムーブメント３の上面側（ガラス５側）には、文字板３０と、日付や曜日などを示すカレンダ装置５０の日車５１とが設けられている。
【００３９】
文字板３０は、ムーブメント３上に配置された文字板受リング３３で支持されるとともに、ムーブメント３の地板等に文字板足３１によって固定されている。
【００４０】
また、カレンダ装置５０は、日付が示されている日車５１と、この日車５１に連結する日回し車５２と、時針に連結して日回し車５２を回転させる日回し中間車５３と、日車５１の回転動作を規制する日ジャンパ５４とを含んで構成されている。
【００４１】
さらに、カレンダ装置５０を修正するために、ムーブメント３にはカレンダ修正装置６０が設けられている。カレンダ修正装置６０は、リューズ６１が取り付けられた巻真６２によって回転されるカレンダ修正伝え車６３と、このカレンダ修正伝え車６３の回転を受けて１方向の回転動作をして日車５１を回転させるカレンダ修正車６４とを含んで構成されている。
【００４２】
このように構成される電子制御式機械時計１には、外部磁界をシールドするための耐磁部材７１，７２が設けられている。すなわち、図１〜図３に示すように、文字板３０の外周部の下面側には、耐磁部材である低保磁力耐磁板７１が配置され、ムーブメント３の外周部の外側には、耐磁部材である高保磁力耐磁板７２が配置されている。
【００４３】
なお、図２は、図１におけるII−II線に沿った断面のうち、電子制御式機械時計１の外周部分の一部を示した断面図であり、図３は、図１におけるIII −III 線に沿った断面のうち、電子制御式機械時計１の外周部分の一部を示した断面図である。
【００４４】
高保磁力耐磁板７２は、リング状に形成され、図２に示されるように、ムーブメント３と胴４との間に、つまりムーブメント３の外周に沿って配置されている。なお、電子制御式機械時計１の３時方向では、巻真６２が外側に突出しており、この巻真６２を避けるように、高保磁力耐磁板７２には切欠き７２Ａが設けられている。
【００４５】
このような高保磁力耐磁板７２としては、例えば、ＰＢパーマロイ材、純鉄、珪素鋼板、鉄とコバルトとを同量含有した磁性合金であるパーメンジュール、鉄（Ｆｅ）系アモルファス金属、ＰＤパーマロイ材などが利用でき、特に保磁力が５Ａ／ｍ以上の高保磁力材により形成されていることが好ましい。
【００４６】
低保磁力耐磁板７１は、文字板３０の外周部の裏側、すなわち文字板３０とムーブメント３との間であって、日車５１の外周側に配置されている。また、文字板３０の外周部には文字板足３１が配置されているため、低保磁力耐磁板７１は、文字板足３１に干渉しないように、図１に示されるように、平面Ｃ字形すなわち円弧状に形成されている。
【００４７】
このような低保磁力耐磁板７１は、高保磁力耐磁板７２として選択された耐磁材料よりも保磁力が小さい耐磁材料が用いられる。例えば、低保磁力耐磁板７１としては、鉄−ニッケル合金の磁性材料の中で比較的低い保磁力であるＰＣパーマロイ材およびＰＤパーマロイ材や、鉄−ケイ素−アルミニウムの合金磁性材料であるセンダスト、コバルト（Ｃｏ）系アモルファス金属などが利用される。この際、特に保磁力が２Ａ／ｍ以下の低保磁力材により形成されていることが好ましい。
【００４８】
なお、上記の材質の選択（組み合わせ）は、製造される製品の規格や磁気シールドに求められる諸条件などを加味して行われるが、少なくとも保磁力に差のある２種類の磁性材料を選択すればよい。
【００４９】
このような高保磁力耐磁板７２および低保磁力耐磁板７１を製造する方法には、例えば以下に述べるように２つの方法があり、これら各耐磁板７１、７２に使われる磁性材料の物性等に起因する加工のしやすさや製造コストによって適宜選択すればよい。
【００５０】
このうち１つの製造方法は、中空状に形成された棒材を旋盤で削りだして内部の穴を大きくし、さらに所定間隔のピッチでリング状に切断する方法である。
【００５１】
また、もう一つの製造方法は、板状の材料を絞り出して円筒部を形成し、この円筒部を切断してリング状に形成する方法である。
【００５２】
このような本実施形態によれば、以下に述べるような効果が得られる。
【００５３】
（１）保磁力の異なる高保磁力耐磁板７２および低保磁力耐磁板７１を電子制御式機械時計１内に配置しているため、弱い外部磁界に対しては保磁力が小さい低保磁力耐磁板７１でシールドできるとともに、強い外部磁界に対しては保磁力が大きい高保磁力耐磁板７２でシールドできる。すなわち、従来のクオーツ時計などで行われていた強い外部磁場に対するシールドの他に、弱い外部磁場に対してもシールドすることが可能になる。従って、電子制御式機械時計１内部に進入しようとする低磁場から高磁場に渡る外部磁場を、直流、交流を問わずシールドすることができ、外部磁界による磁気ノイズを減少でき、ノイズなどの外部磁場で誤動作することがない、高精度の電子制御式機械時計１を提供できる。
【００５４】
（２）低保磁力耐磁板７１として、ＰＣパーマロイ材、センダスト、Ｃｏ系アモルファス金属、ＰＤパーマロイ材等の、低保磁力材でありかつ高透磁率材でもある耐磁部材を用いているので、外部磁界が低磁場であっても効果的にシールドすることができる。
【００５５】
（３）高保磁力耐磁板７２として、ＰＢパーマロイ材、純鉄、珪素鋼板、パーメンジュール、Ｆｅ系アモルファス金属、ＰＤパーマロイ材等の、高保磁力材でありかつ高飽和磁束密度の材料である耐磁部材を用いているので、必要なシールド効果を得るための断面積を小さくでき、スペースが限られている時計であっても容易に組み込むことができる。
【００５６】
（４）高保磁力耐磁板７２を、ムーブメント３の外周部に配置しているので、ロータ２１に影響を与えやすい時計１の側面からの強い外部磁界を効果的にシールドでき、外部磁界による誤動作の発生を効率よく低減できる。
【００５７】
（５）低保磁力耐磁板７１や高保磁力耐磁板７２は、文字板３０の裏側やムーブメント３の外周部の、デッドスペースとされていた部分に配置できるため、時計内部の空間を有効に利用でき、電子制御式機械時計１を厚くすることなく耐磁部材７１，７２を配置することができ、スペース効率を向上できる。
【００５８】
（６）高保磁力耐磁板７２は、リング状つまり連続して形成されているので、ムーブメント３の外周全周に渡って配置することができ、どの位置からの外部磁界も確実にシールドできる。
【００５９】
また、高保磁力耐磁板７２には切欠き７２Ａが形成されているので、巻真６２に干渉することなく配置でき、配置スペースを有効に活用することができる。
【００６０】
（７）低保磁力耐磁板７１は、半円弧状に形成されるとともに、文字板３０をムーブメント３に取り付ける文字板足３１を避けるようにして、文字板３０の外周裏側に対向配置されている。従って、これら文字板足３１の配置を変更することなく、低保磁力耐磁板７１を配置することができるので、配置スペースを有効に活用することができる。
【００６１】
（８）低保磁力耐磁板７１は、対向する同一な半円弧状の形状をなしている。すなわち、低保磁力耐磁板７１は１種類の部品であるので、これら低保磁力耐磁板７１を組み込む際には、左右の部品の区別をする必要がない。従って、低保磁力耐磁板７１を組み込む作業を容易にできる。
【００６２】
（第２実施形態）
以下に、本発明の第２実施形態を、図４を参照しながら述べる。
【００６３】
なお、以下の各実施形態および変形例において、前記第１実施形態と同一もしくは同様の構成部品については、同一の符号を用い、説明を省略あるいは簡略する。
【００６４】
第２実施形態の電子制御式機械時計１では、低保磁力耐磁板７１Ａは、日車５１の裏側つまり日車５１およびムーブメント３間に配置されているとともに、裏蓋８０の裏面にも、耐磁部材である低保磁力耐磁板７１Ｂが配置されている。なお、高保磁力耐磁板７２は、前記第１実施形態と同様に、ムーブメント３の外周に沿って配置されている。
【００６５】
低保磁力耐磁板７１Ａは、リング状に形成されて、日車５１の裏側に、日車５１に沿って配置されている。また、低保磁力耐磁板７１Ｂは、円盤状に形成されて裏蓋８０のムーブメント３側に配置されている。なお、これらの低保磁力耐磁板７１Ａ，７１Ｂの材質は、前記第１実施形態の低保磁力耐磁板７１と同じである。
【００６６】
このような構成の電子制御式機械時計１では、前記実施形態において得られた効果（１）〜（６）の他に、以下に述べるような効果が得られる。
【００６７】
（９）日車５１およびムーブメント３間や裏蓋８０の裏面など、部品が配置されていない狭小な空きスペース（デッドスペース）を利用して、低保磁力耐磁板７１Ａおよび低保磁力耐磁板７１Ｂが配置されているので、時計内部の空間を有効に利用することができる。
【００６８】
（10）各低保磁力耐磁板７１Ａ，７１Ｂおよび高保磁力耐磁板７２が、ムーブメント３の上面、下面および外周面にそれぞれ配置されているので、ムーブメント３を耐磁部材で囲むことができ、シールド効果を非常に大きくでき、外部磁界による磁気ノイズを大幅に減少できる。
【００６９】
なお、本発明は、前記各実施形態に限定されるものではなく、本発明の目的を達成できる他の構成も含み、以下に示すような変形例なども本発明に含まれる。
【００７０】
例えば、低保磁力耐磁板７１，７１Ａ，７１Ｂおよび高保磁力耐磁板７２の配置位置は、前記各実施形態のものに限らず、例えば、図５に示すように、時計に自動巻用の回転錘９１が設けられている場合には、この回転錘９１の周囲にリング状の耐磁部材７３を取り付けてもよい。このように回転錘９１の外周に取り付けた耐磁部材７３は、ムーブメント３の外周部に沿って配置されるため、高保磁力耐磁板７２と同様に、時計の側面からの外部磁界を効果的にシールドすることができる。
【００７１】
また、文字板受リング３３を低保磁力材や高保磁力材等の耐磁材料で構成し、耐磁板としても兼用してもよい。この場合には、例えば、低保磁力材で文字板受リング３３を形成すれば、文字板３０や日車５１の下側に配置した低保磁力耐磁板７１，７１Ａを不要にでき、部品点数を少なくできてコストも低減できる。また、高保磁力材で文字板受リング３３を形成すれば、高保磁力材でシールドされるムーブメント３外周部の面積が大きくなり、シールド効果をより向上することができる。
【００７２】
また、前記第１実施形態では、高保磁力耐磁板７２はムーブメント３の外周に、また低保磁力耐磁板７１は文字板３０の裏側に配置されており、前記第２実施形態では、日車５１および裏蓋８０の裏側に設けられていたが、例えば、低保磁力耐磁板７１Ｂとムーブメント３外周部の高保磁力耐磁板７２のみを設けてもよい。
【００７４】
要するに、高保磁力耐磁板および低保磁力耐磁板の配置位置については、実施の状況に応じて適宜選択すればよく、電子制御式機械時計１内部の空き空間（デッドスペース）の位置や、シールドしたい外部磁場の方向性などを加味して、１箇所もしくは複数箇所に適宜選択すればよい。特に、ムーブメント３の外周部および外周部に近接した位置で、かつ外周部に沿って低保磁力耐磁板および高保磁力耐磁板をそれぞれ配置することが好ましい。
【００７５】
また、前記各実施形態では、耐磁部材の形状は、リング状もしくは半円弧状であったが、これらに限らない。例えば、棒状、薄板状（フィルム状）、線状などでもよく、これらの形状は、耐磁部材が配置されるスペースの形状に応じて、適宜決定される。
【００７６】
また、高保磁力耐磁板７２および低保磁力耐磁板７１に使用されている磁性材料の種類は、前記実施形態のものに限らず、例えば、サマリウム、ネオジム、窒素、クロム、バナジウムなどを含有するものでもよく、これらも必要とするシールド性能などを考慮して適宜選択すればよい。
【００７７】
さらに、前記実施形態では、高保磁力耐磁板７２として、５Ａ／ｍ以上の保磁力を有する耐磁板を用い、低保磁力耐磁板７１として、２Ａ／ｍ以下の保磁力を有する耐磁部材を使用したが、これらに限らない。このような、保磁力の最適範囲は、電子制御式機械時計１内部に組み込まれているムーブメントに求められる機能レベルに応じて、実施の状況に応じて適宜設定される。
【００７８】
また、耐磁板としては保磁力の異なる２種類のものに限らず、保磁力の異なる３種類以上の耐磁板を設けてもよい。
【００７９】
また、このような耐磁部材が設けられる電子制御式機械時計１の種類や仕様は、前記第１実施形態および第２実施形態のものに限らず、例えば、コア無しの発電機を用いたムーブメント３を有するものでもよく、実施にあたって適宜設定すればよい。
【００８０】
【実施例】
次に、本発明の効果を確認するために行った実施例について説明する。
【００８１】
本実施例では、低保持力耐磁板７１として保磁力０．８Ａ／ｍのＰＣ材を用い、高保持力耐磁板７２として保磁力６．４Ａ／ｍのＰＢ材を用い、前記第１実施形態のようにこれら２種類の耐磁板７１，７２を設けた場合に、どの程度の外部磁界が加わるまで性能を確保できるかを確認した（実施例１）。電子制御式機械時計の場合、外部磁界が加わると、発電波形にノイズが乗り、ＩＣで起電圧波形を読みとれなくなり、時間精度が落ちる。このため、始めに外部磁界を０にしておき、その後、徐々に外部磁界を強くしていったときに、時計が誤作動無く動作する（品質保証ができる、具体的には時間精度：月差１５秒が確保できる）限界の外部磁界の量（強さ）を測定した。
【００８２】
また、比較例として、耐磁板７１のみを設けた場合（比較例１）、耐磁板７２のみを設けた場合（比較例２）、各耐磁板７１，７２をそれぞれ低保磁力のＰＣ材で構成した場合（比較例３）、各耐磁板７１，７２をそれぞれ高保磁力のＰＢ材で構成した場合（比較例４）に、実施例１と同様にそれぞれ外部磁界０からどの程度の外部磁界が加わるまで性能を確保できるかを確認した。
【００８３】
なお、実施例および各比較例で用いた発電機は同一のものであり、具体的には、発電機を構成するヨークにはＰＣパーマロイ材を使用し、ステータ内径は３mm、厚み0.5mm(0.25mm×２層)で構成されたものを用いた。このヨークには、直径13μｍの線が60000Ｔ（30000Ｔ×２個）巻かれている。さらに、ロータ２１は、最大エネルギ積（ＢＨｍａｘ）が３２ＭＧＯeのSm2Co17(サマリウム・コバルト)からなり、直径1.3mm×厚み0.4mmの円柱状のロータ磁石を備えているものを用いた。
【００８４】
一方、低保持力耐磁板７１は、外径2.81mm、内径2.6mm、厚み0.45mm、保磁力０．８Ａ／ｍのＰＣ材(比較例４では保磁力６．４Ａ／ｍのＰＢ材)で構成されたものを用い、高保持力耐磁板７２は、外径3.07mm、内径2.92mm、厚み1.75mm、保磁力６．４Ａ／ｍのＰＢ材（比較例３では保磁力０．８Ａ／ｍのＰＣ材）で構成されたものを用いた。
【００８５】
この実施例１および各比較例１〜４において、時計が誤作動無く動作する外部磁界の強さを測定した。なお、外部磁界としては、交流磁気（ＡＣ）および直流磁気（ＤＣ）の両方を用いて測定した。この実験結果を表１に示す。
【００８６】
【表１】
0003654087.tif 000002
表１に示すように、本発明の実施例１は、交流磁気（ＡＣ）および直流磁気（ＤＣ）のそれぞれにおいて、最も大きな外部磁界が加わるまで性能を確保できており、本発明の有効性が確認できた。
【００８７】
【発明の効果】
以上の述べたように、本発明の電子制御式機械時計によれば、保磁力の異なる少なくとも２種類の耐磁部材である高保磁力耐磁板および低保磁力耐磁板を配置したので、弱い外部磁界に対しては保磁力が小さい低保磁力耐磁板でシールドでき、強い外部磁界に対しては保磁力が大きい高保磁力耐磁板でシールドできる。従って、低磁場から高磁場に渡る外部磁場を、直流、交流を問わずシールドすることができ、外部磁界による磁気ノイズを減少でき、ノイズなど外部磁場で誤動作することがない、高精度の電子制御式機械時計を提供できる。
【図面の簡単な説明】
【図１】本発明の第１実施形態における電子制御式機械時計の平面図である。
【図２】図１の要部を示す断面図である。
【図３】図１の要部を示す断面図である。
【図４】本発明の第２実施形態における要部を示す断面図である。
【図５】本発明の変形例を示す斜視図である。
【符号の説明】
１      電子制御式機械時計
２      ケース
３      ムーブメント
１０      ゼンマイ
２０      発電機
２１      ロータ
２２      コイルブロック
３０      文字板
３３      文字板受リング
５０      カレンダ装置
５１      日車
５２      日回し車
５３      中間車
５４      日ジャンパ
６０      カレンダ修正装置
６１      リューズ
６２      巻真
６３      カレンダ修正伝え車
６４      カレンダ修正車
７１，７１Ａ，７１Ｂ      低保磁力耐磁板
７２      高保磁力耐磁板
７３      耐磁部材
８０      裏蓋
８１      ガラス
８２      ガラス縁
９１      回転錘
【図１】
0003654087.tif 000003
【図２】
0003654087.tif 000004
【図３】
0003654087.tif 000005
【図４】
0003654087.tif 000006
【図５】
0003654087.tif 000007